(57)【特許請求の範囲】
【請求項１】
塵芥収集車の塵芥収容箱に連設され、塵芥投入口から投入された塵芥を該塵芥収容箱に押し込む塵芥積込装置が内蔵された塵芥収集車の塵芥投入箱において、
上記塵芥投入口の上方に設けられ、車幅方向に延びる上端部の揺動軸を中心に開閉可能なルーフカバーと、
該塵芥投入口と該ルーフカバーとの間に設けられて車幅方向に延びる後面スペース部と、
上記ルーフカバーを閉じた状態で、該ルーフカバーの下端部を上記後面スペース部に固定するロック機構とを備え、
上記ロック機構は、
上記ルーフカバーの回動方向と直交する方向を締付方向とすると共に上記後面スペース部に取り付けられる留め金具を有し、
上記留め金具は、上記後面スペース部の車幅方向両側に設けられる被係合部と、該被係合部に引っ掛ける係合部を有するツマミ部とを備え、
上記ルーフカバーの下端部における車幅方向両側には、該ルーフカバーから下方に突出する固定片が設けられ、
上記被係合部と上記後面スペース部との間で上記固定片を挟み込むようにして上記係合部を引っ張ることにより、上記ルーフカバーを上記後面スペース部に対し固定するように構成した
ことを特徴とする塵芥収集車の塵芥投入箱。
【請求項２】
請求項１に記載の塵芥収集車の塵芥投入箱において、
上記被係合部は、上記後面スペース部に沿う上下方向を軸心として揺動自在なフック部を有し、該フック部を車幅方向に引っ張るとその力のモーメントにより上記固定片を固定するように構成した
ことを特徴とする塵芥収集車の塵芥投入箱。
【発明の詳細な説明】
【技術分野】
【０００１】
本発明は、塵芥収集車の塵芥収容箱に連設され、塵芥投入口から投入された塵芥を該塵芥収容箱に押し込む塵芥積込装置が内蔵された塵芥収集車の塵芥投入箱に関し、特にそのルーフカバーの固定構造に関する。
【背景技術】
【０００２】
従来より、例えば特許文献１に示すように、塵芥投入箱の後部には塵芥投入口が設けられている。そして、塵芥投入口の上方には、塵芥投入箱内部の点検等のために開閉可能なルーフカバー（上部カバー）が設けられ、このルーフカバーと塵芥投入箱との間には、ルーフカバーに連設されるようにして、リアランプとそのランプカバーとが設けられていた。ルーフカバーとランプカバーとは塵芥投入箱の後方下傾状の後面を形成していた。ルーフカバーは、車幅方向に延びる上端側の揺動軸を中心に上下方向に開閉可能となっており、走行時にがたつかないように固定する必要がある。そこで、従来はルーフカバーをランプカバーに対して留め金具で固定するようにしていた。留め金具は、ルーフカバーから大きく突出しないようにするため、塵芥投入箱の後方下傾状の後面に沿う上下方向に取り付けられていた。また、留め金具の締付方向は、当該後面に沿う上下方向であった。
【先行技術文献】
【特許文献】
【０００３】
【特許文献１】特開２０１３−１７００７４号公報
【発明の概要】
【発明が解決しようとする課題】
【０００４】
しかしながら、従来のルーフカバーの固定構造では、ルーフカバーを十分に固定できず、がたついたり、開いてしまったりするおそれがあった。
【０００５】
具体的に説明する。従来では、留め金具は、塵芥投入箱の後方下傾状の後面に沿う上下方向の一方側を締付方向とし、他方側を緩める方向としていた。車両走行時の路面の凹凸による塵芥投入箱の振動方向は主に上下方向なので、車両走行時には留め金具が締付方向だけでなく緩める方向にも大きく揺れ動かされていた。これにより留め金具によるロックが外れてしまうおそれがあった。
【０００６】
また、上記後面に沿う留め金具の締付方向に対し、ルーフカバーの閉状態から開く方向は、当該後面に対し略垂直な方向だったので、留め金具の締付方向とルーフカバーの開く方向とがずれていた。そのため、車両走行時に留め金具がルーフカバーによって締付方向と異なる方向に揺れ動かされ、これが留め金具によるロックが外れようとする動きを助長させていた。
【０００７】
本発明は、かかる点に鑑みてなされたものであり、その目的とするところは、塵芥投入箱に設けたルーフカバーを堅固且つ確実に固定できるようにすることにある。
【課題を解決するための手段】
【０００８】
上記の目的を達成するために、この発明では、留め金具の締付方向を車幅方向とした。
【０００９】
具体的には、第１の発明では、塵芥収集車の塵芥収容箱に連設され、塵芥投入口から投入された塵芥を該塵芥収容箱に押し込む塵芥積込装置が内蔵された塵芥収集車の塵芥投入箱を前提とする。
【００１０】
そして、上記塵芥収集車の塵芥投入箱は、
上記塵芥投入口の上方に設けられ、車幅方向に延びる上端部の揺動軸を中心に開閉可能なルーフカバーと、
該塵芥投入口と該ルーフカバーとの間に設けられて車幅方向に延びる後面スペース部と、
上記ルーフカバーを閉じた状態で、該ルーフカバーの下端部を上記後面スペース部に固定するロック機構とを備え、
上記ロック機構は、
上記ルーフカバーの回動方向と直交する車幅方向を締付方向とすると共に上記後面スペース部に取り付けられる留め金具を有する。
【００１１】
上記の構成によると、車両走行中の路面の凹凸による塵芥投入箱の主な振動方向である上下方向に対し、留め金具の締付方向が、この上下方向と直交する車幅方向となる。これにより、上下方向と比較して比較的小さな振動方向である車幅方向に留め金具の締付方向を合わせることができ、車両走行中の振動により留め金具によるロックが外れるトラブルを防ぐことができる。
【００１２】
第２の発明では、第１の発明において、
上記留め金具は、上記後面スペース部の車幅方向両側に設けられる被係合部と、該被係合部に引っ掛ける係合部を有するツマミ部とを備え、
上記ルーフカバーの下端部における車幅方向両側には、該ルーフカバーから下方に突出する固定片が設けられ、
上記被係合部と上記後面スペース部との間で上記固定片を挟み込むようにして上記係合部を引っ張ることにより、上記ルーフカバーを上記後面スペース部に対し固定するように構成した。
【００１３】
上記の構成によると、ルーフカバーの必要最小限の部分だけ延長させてルーフカバーの固定が行える。また、ルーフカバーの下端部における車幅方向両側に固定片を設けているので、ルーフカバーの後面スペース部に対する取付部分が車両後方から見て目立たなくすることができる。これにより、質量及びコストを抑えて見映えのよいロック機構が得られる。
【００１４】
第３の発明では、第２の発明において、
上記被係合部は、上記後面スペース部に沿う上下方向を軸心として揺動自在なフック部を有し、該フック部を車幅方向に引っ張るとその力のモーメントにより上記固定片を固定するように構成した。
【００１５】
上記の構成によると、ルーフカバーの回動方向と留め金具の締付方向とが全く異なっているにも関わらず、留め金具の車幅方向の締付力を揺動するフック部の力のモーメントにより十分に固定片に伝達することができる。これにより、ルーフカバーを堅固且つ確実に固定できる。
【発明の効果】
【００１６】
以上説明したように、本発明によれば、塵芥収集車の塵芥投入箱に車幅方向に延びる揺動軸を中心に開閉可能なルーフカバーを後面スペース部に固定するロック機構を設け、ロック機構は、ルーフカバーの回動方向と直交する車幅方向方向を締付方向とすると共に上記後面スペース部に取り付けられる留め金具を備えるようにしたことにより、ルーフカバーを堅固且つ確実に固定することができる。
【図面の簡単な説明】
【００１７】
【図１Ａ】図１ＣのIA部を示す拡大図である。
【図１Ｂ】図１ＡをIB方向から見た矢視図である。
【図１Ｃ】左側のロック機構及びその周辺を拡大して示す背面図である。
【図２】本発明の実施形態に係る塵芥収集車を示す側面図である。
【図３】塵芥収集車を示す背面図である。
【図４】塵芥収集車の後部側を示す平面図である。
【図５】ルーフカバーの開閉構造の概略を示す側面図である。
【発明を実施するための形態】
【００１８】
以下、本発明の実施形態を図面に基づいて説明する。
【００１９】
図２及び図３は、本発明の実施形態の塵芥投入箱５を備えた塵芥収集車１を示す（図３は塵芥投入箱５の下方を省略している）。この塵芥収集車１は、走行可能な車台２を備え、この車台２には、運転室３と、塵芥収容箱４とが搭載され、その塵芥収容箱４の後方に塵芥投入箱５が連設されている。
【００２０】
詳しくは図示しないが、塵芥投入箱５は、塵芥収容箱４の上端に設けた回動軸を中心に回動シリンダを伸縮させることで、塵芥収容箱４の後方開口を開閉可能となっている。詳しくは図示しないが、この塵芥投入箱５の内部には、後方に設けた塵芥投入口６から投入された塵芥を塵芥収容箱４に押し込む塵芥積込装置が内蔵されている。例えば、摺動板を上下に摺動し、圧縮板を前後に揺動するプレス式の塵芥積込装置でもよいし、回転板式や遊星歯車式の塵芥積込装置であってもよい。塵芥投入箱５は、塵芥投入口６の上縁部裏側に沿って上下にスライド移動可能な開閉扉７で覆われる。
【００２１】
塵芥投入箱５の側壁は、図２〜図４に示すように、車幅方向両側に設けたヒンジ部を中心に開閉可能なサイドカバー８で覆われて見映えがよくなっている。具体的には、このサイドカバー８は、例えば、樹脂成形品で形成されており、塵芥投入箱５の左右側壁に上下に間隔を空けて設けた複数のサイドカバー用ヒンジ部８ａで開閉可能となっている。そして、後端側において例えば３つのサイドカバー用留め金具８ｂで、塵芥投入箱５の後壁における塵芥投入口６周縁に固定できるようになっている。
【００２２】
そして、塵芥投入口６の上方には、車幅方向に延びる上端部の揺動軸９ａ（図５に示す）を中心に開閉可能なルーフカバー９が設けられている。ルーフカバー９は、下方に行くほど厚みが増す形状であり、下端部左右両側には、アール部９ｅが形成されている。各アール部９ｅには、アール部９ｅと一体の薄板部９ｆがアール部９ｅから外方突出状に連設されている。
【００２３】
塵芥投入口６とルーフカバー９との間には、車幅方向に延びる後面スペース部５ａが設けられている。すなわち、塵芥投入口６の上縁部には、車幅方向に延びて塵芥投入箱５の左右側壁を繋ぐ金属板部材が設けられている。後面スペース部５ａは、このある程度剛性の確保された金属板部材の背面側で構成されている。
図１Ａ〜図１Ｃに示すように、塵芥投入箱５には、ルーフカバー９を閉じた状態で、このルーフカバー９を後面スペース部５ａに固定するルーフカバーロック機構１０が設けられている。
【００２４】
具体的には、ルーフカバーロック機構１０は、ルーフカバー９の下端部における車幅方向両側に設けた一対の固定片９ｂを備えている。固定片９ｂの形状は特に限定されないが、図１Ａに示すように、板材で構成すると構造が簡単である。本実施形態では、固定片９ｂは、ルーフカバー９の薄板部９ｆに取付ボルト９ｃで脱着可能に取り付けられている。このようにすることで、ルーフカバー９は軽量で成形が容易な樹脂成形品で構成し、固定片９ｂは強度の高い金属製部材とすることができる。
一対の固定片９ｂは、後面スペース部５ａにそれぞれ設けられた被係合部１１で挟持されるようになっている。具体的には、被係合部１１は、後面スペース部５ａに固定されるベース部１１ｃと、ベース部１１ｃに支持されると共に後面スペース部５ａに沿う上下方向を軸心方向とする揺動軸１１ａと、この揺動軸１１ａによって揺動軸１１ａの軸心まわりに回動自在に支持されるフック部１１ｄとを有している。フック部１１ｄは、例えばコイルバネ１１ｂで上方に（開く方向に）付勢されている。一方、後面スペース部５ａの被係合部１１の車幅方向内側には、被係合部１１のフック部１１ｄに引っ掛ける、棒鋼等よりなるＵ字状の係合部１２を有し、この係合部１２を引っ張って固定する留め金具１３がそれぞれ固定されている。留め金具１３は、ルーフカバーロック機構１０の構成要素である。留め金具１３は、ルーフカバー９の回動方向と直交する車幅方向を締付方向とするようにしている。特に本実施形態では、留め金具１３の締付方向は、車幅方向内側を向いている。つまり、各留め金具１３は、車幅方向内側にツマミ部１３ａを有し、基端側が揺動ピン１３ｂを中心に揺動可能に構成されると共に、上記係合部１２が揺動可能に支持されている。この係合部１２をフック部１１ｄに掛けた状態で、このツマミ部１３ａを車幅方向内側にそれぞれ引っ張ることで、係合部１２がフック部１１ｄを引っ張り、フック部１１ｄが揺動軸１１ａを中心に揺動されて固定片９ｂを挟持した状態でロックされるようになっている。この状態では、再びツマミ部１３ａを上方に持ち上げない限り、フック部１１ｄは開かない。フック部１１ｄ、係合部１２、ツマミ部１３ａは、例えばＳＵＳ３０４で構成されており、フック部１１ｄの固定片９ｂを押圧する部分には、クッションゴムが取り付けられている。このクッションゴムは、固定片９ｂ側に取り付けてあってもよい。なお、留め金具１３の締付方向は、それぞれ車幅方向外側を向いていてもよい。
【００２５】
図５に示すように、ルーフカバー９は、その裏面に設けた連結部９ｄにおいて、ダンパ１４の一端が連結されている。ダンパ１４の他端は、ダンパ支持ブラケット１５を介して塵芥投入箱５の車幅方向に延びるクロスバー５ｂに支持されている。
【００２６】
このダンパ１４は、ルーフカバー９を開く方向にアシスト力を発生する。しかし、走行時に大きく揺れる等により、ルーフカバー９を開こうとする力が加わることがある。特にルーフカバー９は、左右にずれようとする力よりも、上方へ開こうとする力の方が大きい。
【００２７】
本実施形態では、図１Ｂに示すように、ルーフカバーロック機構１０の係合部１２をフック部１１ｄに係合させると、後面スペース部５ａに固定片９ｂが押さえ付けられる。そして、車両走行中の路面の凹凸による塵芥投入箱の主な振動方向である上下方向に対し、留め金具１３の締付方向がこの上下方向と直交する車幅方向となる。これにより、上下方向と比較して比較的小さな振動方向である車幅方向に留め金具１３の締付方向を合わせることができ、車両走行中の振動により留め金具１３によるロックが外れるトラブルを防ぐことができる。
【００２８】
また、必要最小限の部分だけ延長させてルーフカバー９の固定が行える。また、ルーフカバー９の下端部における車幅方向両側に固定片９ｂを設けているので、ルーフカバー９の後面スペース部５ａに対する取付部分が車両後方から見て目立たなくすることができる。これにより、ルーフカバーロック機構１０を質量及びコストを抑えて見映えのよいものとすることができる。
【００２９】
なお、本実施形態では、被係合部１１と留め金具１３とは、ルーフカバー９のアール部９ｅの真下に位置すると共に、アール部９ｅの車幅方向長さ内に収まるように配設されている。これにより、よりいっそうルーフカバー９の後面スペース部５ａに対する取付部分が車両後方から見て目立たず、見映えがよくなっている。
【００３０】
また、本実施形態では、ルーフカバー９の回動方向と留め金具１３の締付方向とが全く異なっているにも関わらず、留め金具１３の車幅方向の締付力を揺動するフック部１１ｄの力のモーメントにより十分に固定片９ｂに伝達することができる。これにより、ルーフカバーを堅固且つ確実に固定できる。
【００３１】
以上説明したように、本実施形態に係る塵芥投入箱５によれば、ルーフカバー９を堅固且つ確実に固定することができる。
【００３２】
なお、以上の実施形態は、本質的に好ましい例示であって、本発明、その適用物や用途の範囲を制限することを意図するものではない。
【符号の説明】
【００３３】
１      塵芥収集車
２      車台
３      運転室
４      塵芥収容箱
５      塵芥投入箱
５ａ    後面スペース部
６      塵芥投入口
７      開閉扉
８      サイドカバー
８ａ    サイドカバー用ヒンジ部
８ｂ    サイドカバー用留め金具
９      ルーフカバー
９ａ    揺動軸
９ｂ    固定片
９ｃ    取付ボルト
９ｄ    連結部
９ｅ    アール部
９ｆ    薄板部
１０      ルーフカバーロック機構
１１      被係合部
１１ａ    揺動軸
１１ｂ    コイルバネ
１１ｃ    ベース部
１１ｄ    フック部
１２      係合部
１３      金具
１３ａ    ツマミ部
１３ｂ    揺動ピン
１４      ダンパ
１５      ダンパ支持ブラケット
【図１Ａ】
0006723072.tif 000002
【図１Ｂ】
0006723072.tif 000003
【図１Ｃ】
0006723072.tif 000004
【図２】
0006723072.tif 000005
【図３】
0006723072.tif 000006
【図４】
0006723072.tif 000007
【図５】
0006723072.tif 000008